(57)【要約】【課題】ＰＤＰは、画像に良好なコントラストが得られておらず、輝度の向上が課題となっている。ＰＤＰの主放電で発生する紫外線により蛍光体を励起、発光させているが、一部の紫外線しか蛍光体発光に寄与していないため、発光効率の改善が必要である。【解決手段】主放電が形成される表示側基板の面放電領域を背面側基板側に凸状に突出させるとともに、表示側基板の凸状突出量をＡ１とするとき、略Ａ１だけ背面側基板を表示側基板から遠ざけ、隔壁の高さを略Ａ１高くし、表示電極とアドレス電極間の距離を突出前の距離と略同じくし、かつ、アドレス電極の駆動電圧を略同じくし、隔壁の高さ方向の増分略Ａ１に対応させて隔壁の側面上およびアドレス電極上に塗布された蛍光体の表面積を増大させるようにし、発光効率を向上させる。【選択図】　図１
2004146171.tif 000002
【特許請求の範囲】
【請求項１】
対向して配置された映像光を出射する表示側基板と背面側基板との間に隔壁で囲まれた放電セルがマトリックス状に配置され、該表示側基板は前面ガラス基板と該前面ガラス基板の上に形成された主放電を発生させるための複数の平行した一対の表示電極と該表示電極を覆う誘電体層と該誘電体層を覆う保護膜からなり、該背面側基板は背面ガラス基板の上に形成された該表示電極との各交点で点灯すべき該放電セルを選択するための該表示電極に直交する方向に平行した複数のアドレス電極を有し、該表示側基板と該背面側基板との間で該アドレス電極に隣接して該放電セルを区分する隔壁が設けられ、該隔壁の側面および該背面側基板の該アドレス電極の上に該放電セルごとに蛍光体が塗布されており、
所定の駆動回路により、該アドレス電極で選択された放電セルを、該表示電極で主放電駆動し、該表示電極を構成する一対の表示電極間で発生する面放電で発生する紫外線により該蛍光体を励起させて発光させ所望の映像を形成するプラズマディスプレイパネルにおいて、
該主放電が形成される該表示側基板の面放電領域を該背面側基板の側に凸状に突出させるとともに、該凸状部の高さに応じて、該背面側基板を該表示側基板から遠ざけてなることを特徴とするプラズマディスプレイパネル。
【請求項２】
請求項１に記載のプラズマディスプレイパネルにおいて、
該表示側基板の凸状突出量をＡ１とするとき、
該表示基板が平面状であるプラズマディスプレイパネルと比較して、略Ａ１だけ該背面側基板を該表示側基板から遠ざけ、該隔壁の高さを略Ａ１高くし、かつ、該表示電極と該アドレス電極間の駆動電圧を略同じくしたことを特徴とするプラズマディスプレイパネル。
【請求項３】
請求項１または請求項２に記載のプラズマディスプレイパネルにおいて、
該隔壁の高さ方向の増分略Ａ１に対応させて該隔壁の側面上および該アドレス電極上に塗布された蛍光体の表面積を増大させるようにしたことを特徴とするプラズマディスプレイパネル。
【発明の詳細な説明】
【０００１】
【発明の属する技術分野】
本発明は、プラズマディスプレイパネル構造に係わり、特にプラズマディスプレイパネル内の放電により発生する紫外線を蛍光体により多く照射して励起させ、発光効率を向上するプラズマディスプレイパネルに関する。
【０００２】
【従来の技術】
薄型でテレビ映像等を表示できるものとして、プラズマディスプレイパネル（以下ＰＤＰと省略する）を用いたプラズマディスプレイパネル表示装置（以下ＰＤＰ表示装置と略す）がある。ＰＤＰ表示装置は大画面表示に適しており、ＴＶ等の表示装置として注目されている。
【０００３】
ＰＤＰは、Ｎｅ（ネオン）やＸｅ（キセノン）等の希ガスの放電によって生じる紫外線による蛍光体の励起発光現象を利用したものである。ＰＤＰは、上で述べたようにＴＶ等の表示装置として注目されているが、画像に良好なコントラストが得られておらず、発行効率の向上が課題となっている。
【０００４】
そこで、前面側基板の面放電領域を背面側基板の側に凸状に突出させ、面放電による前面側基板に向かううちの一部の紫外線も蛍光体を励起させるようにして、紫外線の利用効率を向上させる技術が特開２００１−１５０４０号公報に開示されている。
【０００５】
【特許文献１】
特開２００１−１５０４０号公報
【０００６】
【発明が解決しようとする課題】
図２に一例として、ＡＣ型ＰＤＰのパネル構造の一例である斜視図を示す。図２において、２００はＰＤＰ、２０１は表示面側の基板となるガラス基板、２０２はガラス基板２０１上に形成された表示電極で互いに相対して対をなす平行な表示電極群であるＸ表示電極２０２ｘとＹ表示電極２０２ｙとからなり、各表示電極は透明電極２０２ａと抵抗値を低くする金属補助電極２０２ｂとからなる。２０３は表示電極２０２を覆う誘電体層、２０４は表示電極２０２と誘電体層２０３を覆う薄いＭｇＯの保護膜である。１２１’はガラス基板２０１に対向して配置された背面側のガラス基板、１２５’はガラス基板１２１’上に形成された表示電極２０２に直交する方向に平行なストライプ状のアドレス電極、１２６’はアドレス電極１２５’を覆う誘電体層、１２２’はアドレス電極に隣接するように形成された隔壁である。１２３’はアドレス電極１２５’を覆うように塗布された蛍光体で、１画素をなす３つの隣接するアドレス電極に対応して赤（Ｒ），緑（Ｇ），青（Ｂ）色の蛍光体が塗り分けてあり、Ｒ，Ｇ，Ｂの放電セルがマトリックス状に配置されている。２２４は、表示電極側基板と蛍光体側基板の間の隔壁１２２’で囲まれた放電空間である。この放電空間にはＮｅやＸｅの希ガスが封入されている。なお、２０５はガラス基板２０１と表示電極２０２と誘電体層２０３とＭｇＯの保護膜２０４とからなる前面側基板で、１３０’はガラス基板１２１’とアドレス電極１２５’と誘電体層１２６’とからなる背面側基板である。また、一辺をほぼＸ表示電極２０２ｘとＹ表示電極２０２ｙとの間の両端間の長さとし、他辺を隣接する隔壁１２２’間の長さとする略矩形領域、即ち、各放電セル（放電空間）を前面側基板２０５と隔壁１２２’とが接する隔壁上面のなす平面で切断した時の断面である略矩形領域を、便宜上面放電領域と称する。
【０００７】
図２において、駆動回路（図示せず）により先ずアドレス電極１２５’とＹ表示電極２０２ｙに印加（これをアドレス駆動と称す）して壁電荷を形成し、次にＸ表示電極２０２ｘとＹ表示電極２０２ｙに電圧（以下この電圧をサスティン電圧と称する）を印加（これを主放電駆動と称す）して放電を維持する。このような電極への印加による放電空間２２４での放電により紫外線が発生し、この紫外線が蛍光体１２３’を励起して赤，緑，青色の光を発生させ、透明な表示電極側のガラス基板を通って光が出射する。
【０００８】
図３は、説明の都合上、図２の前面側基板２０５を９０°回転させ放電時のＰＤＰ内の状況をわかりやすく図示したものである。図３において、図２に同一な部分には同一符号を付して説明を省略する。
【０００９】
ＰＤＰは前述したように放電を利用しているため、図３に示すように基板間に放電セルがマトリックス状に配置された個々で放電による紫外線が発生し、蛍光体を励起している。放電空間２２４での主放電では、図３に示すように、Ｘ表示電極２０２ｘとＹ表示電極２０２ｙとの間で即ち上記した面放電領域近傍で面放電が形成され、この面放電で発生した紫外線が四方に放射されるが、そのうちの一部である蛍光体に入射した紫外線が蛍光体を励起させ、発光させる。このように、放電で発生した紫外線のすべてが蛍光体を励起しているわけでなく、一部（前面側基板２０５に向かう略半分程度）の紫外線はＰＤＰ前面側基板２０５側の主としてガラス基板２０１で吸収され、損失となっている。即ち、放電により発生した紫外線の一部しか蛍光体の発光に寄与していない。そこで、上記特開２００１−１５０４０号公報で開示されているように、前面側基板を背面側基板側に凸上に突出させ、前面側基板に向かう一部の紫外線で蛍光体を励起させるようにして、紫外線利用効率を向上させ、発光輝度を向上させることができる。しかし、面放電により発生する紫外線は、放電箇所を中心として略球面状に放射されるため、発光輝度の向上には、前面側基板に向かううちの極わずかな一部の紫外線しか寄与しない。発光輝度の向上には、発光に直接関与する蛍光体の塗布面積の増大が望ましいが、上記開示技術では、蛍光体面積の増大に関し考慮されていない。
【００１０】
本発明の目的は、上記した課題を解決し、蛍光体面積を増大させ、発光効率を向上させることができるプラズマディスプレイパネルを提供することにある。
【００１１】
【課題を解決するための手段】
上記した課題を解決するために、本発明は、対向して配置された映像光を出射する表示側基板と背面側基板との間に隔壁で囲まれた放電セルがマトリックス状に配置され、該表示側基板は前面ガラス基板と該前面ガラス基板の上に形成された主放電を発生させるための複数の平行した一対の表示電極と該表示電極を覆う誘電体層と該誘電体層を覆う保護膜からなり、該背面側基板は背面ガラス基板の上に形成された該表示電極との各交点で点灯すべき該放電セルを選択するための該表示電極に直交する方向に平行した複数のアドレス電極を有し、該表示側基板と該背面側基板との間で該アドレス電極に隣接して該放電セルを区分する隔壁が設けられ、該隔壁の側面および該背面側基板の該アドレス電極の上に該放電セルごとに蛍光体が塗布されており、所定の駆動回路により、該アドレス電極で選択された放電セルを、該表示電極で主放電駆動し、該表示電極を構成する一対の表示電極間で発生する面放電で発生する紫外線により該蛍光体を励起させて発光させ所望の映像を形成するプラズマディスプレイパネルにおいて、該主放電が形成される該表示側基板の面放電領域を該背面側基板の側に凸状に突出させるとともに、該表示側基板の凸状突出量をＡ１とするとき、略Ａ１だけ該背面側基板を該表示側基板から遠ざけ、該隔壁の高さを略Ａ１高くし、該表示電極と該アドレス電極間の距離を突出前の該距離と略同じくし、かつ、該表示電極と該アドレス電極間の駆動電圧を略同じくし、
該隔壁の高さ方向の増分略Ａ１に対応させて該隔壁の側面上および該アドレス電極上に塗布された蛍光体の表面積を増大させるようにし、発光効率を向上させるようにしたことを特徴とする。
【００１２】
このように構成すれば、該表示側基板の面放電領域が該背面側基板の側に略ＡＩ突出するので、該表示側基板の方向に向かう紫外線の一部が該隔壁の側面上に塗布された蛍光体に入射し、発光量が増大する。また、該背面側基板が該面放電領域の突出量Ａ１に略等しい距離だけ遠ざかるので、該表示電極と該アドレス電極間の距離は突出前の該距離と略同じとなり、該表示電極と該アドレス電極間のアドレス駆動電圧を略同じとすることができる。さらに、該放電セルを区分する該隔壁の高さが突出量Ａ１に略等しい分高くなるので、その分、該隔壁の側面に塗布できる蛍光体の表面積が増大する。蛍光体の表面積が増大すると発光量が増大し、発光輝度も向上するが、この時、アドレス駆動電圧を突出前とほぼ同じにできるので、発光効率も向上する。
【００１３】
【発明の実施の形態】
以下、図を用いて本発明の実施の形態について詳細に説明する。図１は本発明の実施の形態を示すＰＤＰの概略構造図で、図３と同様に、説明の都合上、前面側基板１０５を９０°回転させ放電時のＰＤＰ内の状況をわかりやすく図示したものである。なお、図１において、図２，図３に同一な部分には同一符号を付して、その説明を省略する。
【００１４】
図１において、前面側基板１０５は、表示面側の基板となるガラス基板１０１と、ガラス基板１０１上に形成された互いに相対して対をなす表示電極群であるＸ表示電極１０２ｘとＹ表示電極１０２ｙを備えた表示電極１０２と、表示電極１０２を覆う誘電体層１０３と、表示電極１０２と誘電体層１０３を覆う薄いＭｇＯの保護膜１０４とからなり、面放電領域において、蛍光体側に突出した凸形状（図１では半球状）の構造となっている。従って、表示電極１０２、誘電体層１０３、保護層１０４はこの凸形状に沿った形状を有している。また、背面側基板１３０はガラス基板１２１とアドレス電極１２５と誘電体層１２６とからなり、前面側基板１０５の突出量Ａ１に略相当する分だけ背面側基板１３０の位置を前面側基板１０５から遠ざけ、表示電極１０２とアドレス電極１２５との相対距離を従来と略等しくする構成としている。このため、アドレス電極に印加する電圧レベルの変更は生じず、また、隔壁１２２は遠ざかった分だけ高さが高くなる、即ち、隣接する隔壁１２２で囲まれた溝（放電空間１２４）が深くなる。これにより、隔壁１２２の側面に塗布している蛍光体１２３の表面積を増加させることができる。
【００１５】
１２３’と１２５’と１２６’は図３の蛍光体とアドレス電極と誘電体層で、図１から明らかなように、本発明では蛍光体底部の位置が略Ａ１だけ、またアドレス電極位置が同様に略Ａ１だけ前面側基板１０５から離れる構成となっている。
【００１６】
背面側基板１３０の位置を前面側基板１０５から遠ざける量略Ａ１としては、アドレス駆動電圧の許容範囲は一般的に±１０％程度あり、この点を考慮して、突出量Ａ１を中心にＡ１±１０％とするのが望ましい。
【００１７】
なお、各Ｘ，Ｙ表示電極は透明電極１０２ａと抵抗値を低くする金属補助電極１０２ｂとからなる。１２４は放電空間である。
【００１８】
以上述べたように、本発明では、表示側基板１０５の面放電領域が背面側ガラス基板１２１側に略ＡＩ突出する凸形状（例えば半球状）の構造を有し、主放電で四方に放射される紫外線の中で、従来発光に寄与しなかった表示側基板１０５の方向に向かう紫外線のうちの一部が隔壁１２２の側面上に塗布された蛍光体に入射し、発光量が増大し、発光輝度が向上する。
【００１９】
また、背面側基板１３０が面放電領域の突出量Ａ１に略等しい距離だけ遠ざかるので、表示電極１０２とアドレス電極１２５間の距離は突出前の距離と略同じとなり、表示電極１０２とアドレス電極１２５間のアドレス駆動電圧を略同じとすることができる。さらに、放電セルを区分する隔壁１２２の高さが突出量Ａ１に略等しい分高くなるので、その分、隔壁１２２の側面に塗布できる蛍光体の表面積が増大する。蛍光体の表面積が増大すると発光量が増大し、発光輝度も向上するが、この時、アドレス駆動電圧を突出前とほぼ同じにできるので、発光効率も向上することになる。
【００２０】
【発明の効果】
以上、実施の形態で述べたように、本発明によれば、ＰＤＰの前面側基板の面放電領域が蛍光体側に突出し、背面側ガラス基板に近づくとともに、面放電領域の突出量に略等しい分背面側ガラス基板が遠ざかるので、隔壁は背面側ガラス基板が遠ざかった分高さが高くなり、隔壁側面に塗布できる蛍光体の表面積を増大させることができ、蛍光体に入射する紫外線量が増加して発光輝度が向上する。また、表示電極とアドレス電極との相対距離を面放電領域の突出前と略等しくできるので、表示電極とアドレス電極間に印加する電圧レベルを変更する必要がなくなり、発光効率も向上させることができる。
【図面の簡単な説明】
【図１】本発明による一実施の形態を示す側面から見たＰＤＰ構造図
【図２】ＡＣ型ＰＤＰのパネル構造の一例を示す斜視図
【図３】ＰＤＰの放電メカニズムを表す概略図
【符号の説明】
１０１…ガラス基板、１０２…表示電極、１０３…誘電体層、
１０４…保護膜、１０５…前面側基板、
１２１…ガラス基板、１２２…隔壁、１２３，１２３’…蛍光体、
１２４…放電空間、１２５，１２５’…アドレス電極、１２６，１２６’…誘電体層、
１３０，１３０’…背面側基板、
２００…ＰＤＰ、２０１…ガラス基板、２０２…表示電極、２０３…誘電体層
２０４…保護膜、２０５…前面側基板、２２４…放電空間、
【図１】
2004146171.tif 000003
【図２】
2004146171.tif 000004
【図３】
2004146171.tif 000005